Podtech/llm-jp-corpus-v4-ja_patent huggingface dataset:
【手続補正書】
【提出日】平成22年7月23日(2010.7.23)
【手続補正１】
【補正対象書類名】特許請求の範囲
【補正対象項目名】請求項２
【補正方法】変更
【補正の内容】
【請求項２】
前記予測式生成部は、
前記第１の測定項目が前記データ格納部へ新たに格納されたとき、または前記第２の測定項目が前記データ格納部へ新たに格納されたときを前記第３のタイミングとして前記予測式を生成し、
前記予測値演算部は、前記予測式が生成される度に前記第１の測定項目の予測値を演算することを特徴とする請求項１に記載の情報管理システム。
【手続補正２】
【補正対象書類名】特許請求の範囲
【補正対象項目名】請求項３
【補正方法】変更
【補正の内容】
【請求項３】
前記第１の測定項目の予測値が、所定の条件となったときに警告を発生する警告発生部をさらに具備して成ることを特徴とする請求項１に記載の情報管理システム。
【手続補正３】
【補正対象書類名】特許請求の範囲
【補正対象項目名】請求項１２
【補正方法】変更
【補正の内容】
【請求項１２】
前記予測式生成部は、
前記第１の測定項目が前記データ格納部へ新たに格納されたとき、または前記第２の測定項目が前記データ格納部へ新たに格納されたときに、前記予測式を生成し、
前記予測値演算部は、前記予測式が生成される度に前記第１の測定項目の予測値を演算することを特徴とする請求項１１に記載の情報管理サーバ。
【手続補正４】
【補正対象書類名】特許請求の範囲
【補正対象項目名】請求項１３
【補正方法】変更
【補正の内容】
【請求項１３】
前記第１の測定項目の予測値が、所定の条件となったときに警告を発生する警告発生部をさらに具備して成ることを特徴とする請求項１１に記載の情報管理サーバ。
【手続補正５】
【補正対象書類名】特許請求の範囲
【補正対象項目名】請求項１９
【補正方法】変更
【補正の内容】
【請求項１９】
前記第１のタイミングは、離散的な測定間隔であって、
前記第２のタイミングは、生体情報の変化を連続的に監視可能な値に設定されたことを特徴とする請求項１に記載の情報管理システム。
【手続補正書】
【提出日】平成21年12月29日(2009.12.29)
【手続補正１】
【補正対象書類名】特許請求の範囲
【補正対象項目名】全文
【補正方法】変更
【補正の内容】
【特許請求の範囲】
【請求項１】
Ｎ−アセチルグリホセートである、グリホセートの代謝産物を含む、植物細胞、植物または植物外植片。
【請求項２】
請求項１に記載の植物細胞、植物または植物外植片であって、前記代謝産物が、配列番号３００、４４５、または４５７に示されるアミノ酸配列に対して少なくとも８０％の配列同一性を有するアミノ酸配列を含む異種ポリペプチドによって産生された、植物細胞、植物または植物外植片。
【請求項３】
請求項１または２に記載の植物細胞、植物または植物外植片であって、ここで、該植物細胞、植物または植物外植片が、以下の属：Ｅｌｅｕｓｉｎｅ、Ｌｏｌｌｉｕｍ、Ｂａｍｂｕｓａ、Ｂｒａｓｓｉｃａ、Ｄａｃｔｙｌｉｓ、Ｓｏｒｇｈｕｍ、Ｐｅｎｎｉｓｅｔｕｍ、Ｚｅａ、Ｏｒｙｚａ、Ｔｒｉｔｉｃｕｍ、Ｓｅｃａｌｅ、Ａｖｅｎａ、Ｈｏｒｄｅｕｍ、Ｓａｃｃｈａｒｕｍ、Ｃｏｉｘ、ＧｌｙｃｉｎｅおよびＧｏｓｓｙｐｉｕｍの中から選択される作物である、植物細胞、植物または植物外植片。
【請求項４】
植物組織におけるグリホセートＮ−アセチルトランスフェラーゼポリペプチドの活性を評価するための方法であって、植物をグリホセートで処理する工程；および該植物の植物組織をＮ−アセチルグリホセートの存在についてアッセイする工程を包含する、方法。
【請求項５】
請求項４に記載の方法であって、前記グリホセートＮ−アセチルトランスフェラーゼポリペプチドが、配列番号３００、４４５、または４５７に示されるアミノ酸配列に対して少なくとも８０％の配列同一性を有している、アミノ酸配列を含む、方法。
【請求項６】
Ｎ−アセチルグリホセートの存在について植物組織をアッセイする工程を包含する、植物組織におけるグリホセートＮ−アセチルトランスフェラーゼポリペプチドの存在を検出する方法。
【請求項７】
請求項６に記載の方法であって、前記グリホセートＮ−アセチルトランスフェラーゼポリペプチドが配列番号３００、４４５、または４５７に示されるアミノ酸配列に対して少なくとも８０％の配列同一性を有するアミノ酸配列を含む、方法。
【請求項８】
請求項６に記載の方法であって、免疫アッセイを使用して植物組織をアッセイする工程を包含する、方法。
【請求項９】
請求項８に記載の方法であって、前記ポリペプチドが、配列番号３００、４４５、または４５７に示されるアミノ酸配列に対して少なくとも８０％の配列同一性を有するアミノ酸配列を含む、方法。
【請求項１０】
請求項４〜９のいずれか１項に記載の方法であって、ここで、前記植物組織が、以下の属：Ｅｌｅｕｓｉｎｅ、Ｌｏｌｌｉｕｍ、Ｂａｍｂｕｓａ、Ｂｒａｓｓｉｃａ、Ｄａｃｔｙｌｉｓ、Ｓｏｒｇｈｕｍ、Ｐｅｎｎｉｓｅｔｕｍ、Ｚｅａ、Ｏｒｙｚａ、Ｔｒｉｔｉｃｕｍ、Ｓｅｃａｌｅ、Ａｖｅｎａ、Ｈｏｒｄｅｕｍ、Ｓａｃｃｈａｒｕｍ、Ｃｏｉｘ、ＧｌｙｃｉｎｅおよびＧｏｓｓｙｐｉｕｍの中から選択される作物由来である、方法。
【手続補正書】
【提出日】平成22年2月10日(2010.2.10)
【手続補正１】
【補正対象書類名】明細書
【補正対象項目名】０００７
【補正方法】変更
【補正の内容】
【０００７】
本第２発明では、複数の点光源（５）を配設した基板（４）の前方に貫通孔（３１）を多数有する板状のカバー板（３）を設け、貫通孔（３１）はカバー板（３）の表面に対し直交する方向に形成されて、その内径が１．０ｍｍ以下で、当該内径に対する板厚の比が０．８〜１．０の範囲となるように設定された略円形断面のものであり、貫通孔（３１）の内周面には高反射性表面処理が施され、かつカバー板（３）は遊技盤に対して相対的に傾斜させられて、遊技者から見て複数の点光源（５）に対応して、光が輪状に見えることを特徴としている。本第２発明によっても本第１発明と同様の効果がある。
【手続補正書】
【提出日】平成22年2月2日(2010.2.2)
【手続補正１】
【補正対象書類名】明細書
【補正対象項目名】０００７
【補正方法】変更
【補正の内容】
【０００７】
このため、特許文献１には、時間の経過まで忘れてしまうほどに遊技に没頭してしまうおそれがあることから、休憩をとらずに長時間遊技している遊技者に対し、所定時間の通常遊技が継続された場合、報知ランプを点灯することで遊技者に報知し、時間の経過を認識させることが記載されている。また、遊技者に報知する手段としては、聴覚に訴えるスピーカなど、他の手段を適用、あるいは併用してもよいことも開示されている。
【特許文献１】特開２００２−２８２４２６号公報（段落「００７５」、「００８２」、「００８６」）
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
被加工面を研削、研磨、表面処理、洗浄、ばり取り等により加工する加工用ブラシのブラシ片において、該ブラシ片は、太さが均一な複数の素線から構成されており、少なくとも１本以上の前記素線を芯線として、該芯線の外周に、前記複数の素線が螺旋状に巻きつけられた少なくとも１つ以上のストランドにて構成されてあることを特徴とする加工用ブラシのブラシ片。
【請求項２】
被加工面を研削、研磨、表面処理、洗浄、ばり取り等により加工する加工用ブラシのブラシ片において、該ブラシ片は、少なくとも１つ以上のストランドを芯線として、該芯線の外周に、複数のストランドが螺旋状に巻きつけられた少なくとも１つ以上のロープにて構成されてあることを特徴とする加工用ブラシのブラシ片。
【請求項３】
被加工面を研削、研磨、表面処理、洗浄、ばり取り等により加工する加工用ブラシのブラシ片において、該ブラシ片は、少なくとも１本以上の素線を芯線として、該芯線の外周に、複数のストランドが螺旋状に巻きつけられた少なくとも１つ以上のロープにて構成されてあることを特徴とする加工用ブラシのブラシ片。
【請求項４】
ブラシ片は、長手方向に対して概波状あるいは螺旋状に形成されてあることを特徴とする請求項１〜３のいずれか１項に記載の加工用ブラシのブラシ片。
【請求項５】
ブラシ片はステンレス鋼線にて形成されてあることを特徴とする請求項１〜４のいずれか１項に記載の加工用ブラシのブラシ片。
【請求項６】
請求項１〜５のいずれか１項に記載のブラシ片を有することを特徴とする加工用ブラシ。
【手続補正２】
【補正対象書類名】明細書
【補正対象項目名】０００８
【補正方法】変更
【補正の内容】
【０００８】
請求項１の発明は、被加工面を研削、研磨、表面処理、洗浄、ばり取り等により加工する加工用ブラシのブラシ片において、該ブラシ片は、太さが均一な複数の素線から構成されており、少なくとも１本以上の前記素線を芯線として、該芯線の外周に、前記複数の素線が螺旋状に巻きつけられた少なくとも１つ以上のストランドにて構成されてあることに特徴を有する。したがって、ストランドをブラシ片としたことにより、ほつれが生じ難い。また、ほつれないので、常に一定の弾性力を被加工面に与えることができ、加工精度が向上する。
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
基準信号或いは基準信号を逓倍した信号を発振信号として出力する発振回路と、
前記発振回路からの発振信号を受け入れ、当該発振信号を分周して、局部発振信号を生成するとともに、当該発振信号を分周して、フィルタ制御用のクロック信号を生成する分周器と、
前記局部発振信号および受信信号を受け入れて、これらの信号を混合して中間周波数の信号を出力するミキサと、
前記クロック信号に応じて、通過させる信号の周波数を変更可能な可変型フィルタと、を備え、
前記可変型フィルタにおける前記周波数と、前記中間周波数とがほぼ一致するように、前記分周器における分周比が決定されることを特徴とする周波数変換回路。
【請求項２】
前記分周器が、前記発振信号をＮ１分周した第１の局部発振信号、前記発振信号をＮ２分周した第２の局部発振信号を生成し、
前記第１の局部発振信号および受信信号を受け入れて、これらの信号を混合して第１の中間周波数の信号を出力する第１のミキサと、
前記第２の局部発振信号および前記第１のミキサの出力信号を受け入れて、これらの信号を混合して第２の中間周波数の信号を出力する第２のミキサと、を備え、
前記可変型フィルタにおける前記周波数と、前記第２の中間周波数とがほぼ一致するように、前記分周器における分周比が決定されることを特徴とする請求項１に記載の周波数変換回路。
【請求項３】
前記分周器が、前記発振信号をＮｊ（ｊ＝１〜ｎ）分周した第ｊの局部発振信号のそれぞれを生成し、
前記第１の局部発振信号および受信信号を受け入れて、これらの信号を混合して第１の中間周波数の信号を出力する第１のミキサと、第ｉの局部発振信号（ただし、ｉ＝２〜ｎ）および第（ｉ−１）の中間周波数信号を受け入れて、これらの信号を混合して第ｉの局部発振信号を、それぞれ出力する第ｉのミキサと、を備え、
前記可変型フィルタにおける前記周波数と、前記第ｎの中間周波数とがほぼ一致するように、前記分周器における分周比が決定されることを特徴とする請求項１に記載の周波数変換回路。
【請求項４】
前記発振回路が、
一定の周波数の基準信号を発生する基準信号発生器と、
制御電圧にしたがった周波数の信号を発生する電圧制御発振器と、
電圧制御発振器から出力される発振信号を分周する分周器と、
前記分周器から出力された分周信号と、前記基準信号とを比較して位相差を示す信号を出力する位相比較器と、
位相比較器からの信号に基づいて前記電圧制御発振器の制御電圧を出力するループフィルタと、を有することを特徴とする請求項１ないし３の何れか一項に記載の周波数変換回路。
【請求項５】
電波を受信して受信信号を出力するアンテナ回路と、
前記アンテナ回路により得られた受信信号を増幅する増幅回路と、
請求項１ないし４の何れか一項に記載された周波数変換回路であって、前記増幅回路から出力された信号を周波数変換して中間周波数信号を出力する周波数変換回路と、
前記周波数変換回路から出力された中間周波数信号を検波する検波回路と、を備えたことを特徴とする受信回路。
【請求項６】
請求項５に記載の受信回路であって、長波帯の標準時刻電波を受信するアンテナ回路を有する受信回路と、
前記受信回路により受信および復調された、時刻情報を含む標準時刻電波の信号から、時刻情報を抽出する時刻情報抽出手段と、
時刻を計時する計時手段と、
当該計時手段により計時された時刻を表示する時刻表示手段と、
前記時刻情報抽出手段により抽出された時刻情報に基づいて、前記計時手段により計時された時刻を修正する時刻修正手段と、を備えたことを特徴とする電波時計。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００２７
【補正方法】変更
【補正の内容】
【００２７】
図４は、本実施の形態にかかる発振回路の構成例を示すブロックダイヤグラムである。図４に示すように、本実施の形態にかかる発振回路３０は、ＶＣＯ３２、分周器４２、基準信号発生器４４、位相比較器４６、および、ループフィルタ４８を備えている。本実施の形態において、基準信号発生器４４として、発振回路部１８（図１）が利用され、基準信号発生器４４からは、電波時計用の周波数（たとえば３２ｋＨｚ）の基準信号（クロック信号）が発生される。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
放射線に対して不安定であり、かつ血液抗凝固活性を有する化合物を、ｐＨ３以上１０未満の緩衝液を含む溶液に溶解および／または分散させた状態で放射線を照射する、化合物の滅菌方法。
【請求項２】
前記溶液は、有機溶媒を含有する、請求項１記載の化合物の滅菌方法。
【請求項３】
前記緩衝液のｐＨは、４以上９以下である、請求項１または２記載の化合物の滅菌方法。
【請求項４】
前記緩衝液のｐＨは、５以上８以下である、請求項１または２記載の化合物の滅菌方法。
【請求項５】
前記有機溶媒は、水酸基を含有し、少なくとも一つが２級または３級の水酸基である、請求項２〜４のいずれか一項に記載の化合物の滅菌方法。
【請求項６】
前記化合物は、アミノ酸を構成要素とする化合物である、請求項１〜５のいずれか一項に記載の化合物の滅菌方法。
【請求項７】
前記化合物は、血液抗凝固活性を有する部分および高分子鎖部分を含む、請求項１〜６のいずれか一項に記載の化合物の滅菌方法。
【請求項８】
前記高分子鎖部分は、ポリエチレングリコール残基、ポリビニルピロリドン残基、ポリプロピレングリコール残基、ポリビニルアルコール残基及びそれらのいずれかの共重合体の残基からなる群から選ばれる残基を含む、請求項７記載の化合物の滅菌方法。
【請求項９】
前記化合物は、抗トロンビン活性を有する、請求項１〜８のいずれか一項に記載の化合物の滅菌方法。
【請求項１０】
請求項１〜９のいずれか一項に記載の化合物の滅菌方法を用いて、前記化合物を基材に固定化させる、医療材料の製造方法。
【請求項１１】
請求項１０記載の医療材料を容器に内蔵する、医療用具の製造方法。
【請求項１２】
前記医療用具は、人工腎臓である、請求項１１記載の医療用具の製造方法。
【手続補正書】
【提出日】平成22年1月6日(2010.1.6)
【手続補正１】
【補正対象書類名】特許請求の範囲
【補正対象項目名】請求項１
【補正方法】変更
【補正の内容】
【請求項１】
平面視略長方形を有したモップ材支持板を備えており、このモップ材支持板は、その長手方向寸法の半分以上を占める主部に対して、長手方向の残部からなる副部が折り曲げ可能に連結されており、このモップ材支持板の長手方向両端部がモップ材の基布上面の両端に設けられたポケットに挿入されてモップ材が支持されるモップヘッドであって、
上記モップ材支持板の長手方向両端部における幅方向両側縁には、上記ポケットの内部においてこのポケットを幅方向に突っ張るフランジ部が一体形成されていることを特徴とする、モップヘッド。
【手続補正２】
【補正対象書類名】明細書
【補正対象項目名】０００７
【補正方法】変更
【補正の内容】
【０００７】
本発明によって提供されるモップヘッドは、平面視略長方形を有したモップ材支持板を備えており、このモップ材支持板は、その長手方向寸法の半分以上を占める主部に対して、長手方向の残部からなる副部が折り曲げ可能に連結されており、このモップ材支持板の長手方向両端部がモップ材の基布上面の両端に設けられたポケットに挿入されてモップ材が支持されるモップヘッドであって、上記モップ材支持板の長手方向両端部における幅方向両側縁には、上記ポケットの内部においてこのポケットを幅方向に突っ張るフランジ部が一体形成されていることを特徴とする。
【手続補正３】
【補正対象書類名】明細書
【補正対象項目名】００１６
【補正方法】変更
【補正の内容】
【００１６】
図３には、モップ材支持板１０の副部１０ｂを主部１０ａに対して下方に回動させた状態を仮想線で示している。係止部材１３は、モップ材支持板１０の長手方向に沿う一方の端部に爪部１３ａを備えている。この爪部１３ａは、主部１０ａの端部上面に引っかかるように形成されており、副部１０ｂが回動するのを防いでいる。この係止部材１３の他方の端部に一定以上の力を加えると、爪部１３ａが主部１０ａから一時的に離間し、係止部材１３を規制部材１５周りに所定角度回動させることが可能となる。したがって、係止部材１３を操作することによって、主部１０ａと副部１０ｂとを固定状態から支軸１４周りに回動可能状態へと切り替えたり、逆に、回動可能状態から固定状態へ切り替えたりすることができる。
【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
公定水分率が３〜８％、単糸繊度が０．０５〜１．１ｄｔｅｘであるセルロースエステル繊維と公定水分率が０〜２．５％である合成繊維とを少なくとも一部に含むワイピングクロスであって、該ワイピングクロス表面に存在するセルロースエステル繊維と合成繊維の比率が、３０：７０〜７０：３０であることを特徴とするワイピングクロス。
【請求項２】
セルロースエステル繊維を構成するセルロースエステルの全置換度が２．５〜３．０であり、該セルロースエステルの少なくとも一部のアシル基炭素数が３〜１８であることを特徴とする請求項１記載のワイピングクロス。
【請求項３】
セルロースエステル繊維を構成するセルロースエステルが、セルロースアセテートプロピオネートおよび／またはセルロースアセテートブチレートであることを特徴とする請求項１または２記載のワイピングクロス。
【請求項４】
セルロースエステル繊維の単糸繊度が０．０５〜０．９ｄｔｅｘであることを特徴とする請求項１〜３のいずれか１項記載のワイピングクロス。
【請求項５】
単糸繊度が０．０５〜１．１ｄｔｅｘであり、少なくとも一部分がセルロースであるセルロースエステル繊維またはセルロース繊維と公定水分率が０〜２．５％である合成繊維とを含むワイピングクロスであって、セルロースエステル繊維またはセルロース繊維と合成繊維の比率が、３０：７０〜７０：３０で、かつ該ワイピングクロス表面の少なくとも一部分がセルロースであることを特徴とするワイピングクロス。
【請求項６】
少なくとも一部分がセルロースであるセルロースエステル繊維またはセルロース繊維が、セルロースエステル繊維を鹸化処理して得られたものである請求項５記載のワイピングクロス。
【手続補正２】
【補正対象書類名】明細書
【補正対象項目名】０００７
【補正方法】変更
【補正の内容】
【０００７】
上記の本発明の課題は、公定水分率が３〜８％、単糸繊度が０．０５〜１．１ｄｔｅｘであるセルロースエステル繊維と公定水分率が０〜２．５％である合成繊維とを少なくとも一部に含むワイピングクロスであって、該ワイピングクロス表面に存在するセルロースエステル繊維と合成繊維の比率が、３０：７０〜７０：３０であることを特徴とするワイピングクロスによって解決することがで
きる。
【手続補正３】
【補正対象書類名】明細書
【補正対象項目名】００１１
【補正方法】変更
【補正の内容】
【００１１】
単糸繊度が０．０５〜１．１ｄｔｅｘであり、少なくとも一部分がセルロースであるセルロースエステル繊維またはセルロース繊維と公定水分率が０〜２．５％である合成繊維とを含むワイピングクロスであって、セルロースエステル繊維と合成繊維の比率が、３０：７０〜７０：３０で、かつ該ワイピングクロス表面の少なくとも一部分がセルロースであることを特徴とするワイピングクロスも好適に採用することができる。
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
入力画像信号の画素ブロックの予測信号を求める予測信号生成ステップと、
前記入力画像信号と前記予測信号に基づいて、前記画素ブロックの予測誤差信号を求める予測誤差生成ステップと、
前記予測誤差信号を直交変換して直交変換信号を求める直交変換ステップと、
量子化マトリクスに従った量子化により、前記直交変換信号の量子化変換係数を求める量子化ステップと、
前記画素ブロックの、
（１）前記量子化マトリクスに対応するインデックス情報、
（２）前記予測信号の予測方式を示す予測モード情報、及び、
（３）前記量子化変換係数を示す情報
を符号化する符号化ステップと、
を備える動画像符号化方法。
【請求項２】
前記符号化ステップは、前記量子化マトリクスが画素ブロック単位で設定される第１モードか、スライス内の各画素ブロックにフラットなマトリクスが用いられる第２モードか、を示す量子化モード情報をスライス単位で符号化し、
前記符号化ステップは、前記画素ブロックが前記第１モードのスライス内の画素ブロックである場合に、前記インデックス情報を符号化する、
ことを特徴とする請求項１の動画像符号化方法。
【請求項３】
入力画像信号の画素ブロックの予測信号を求める予測信号生成部と、
前記入力画像信号と前記予測信号に基づいて、前記画素ブロックの予測誤差信号を求める予測誤差生成部と、
前記予測誤差信号を直交変換して直交変換信号を求める直交変換部と、
量子化マトリクスに従った量子化により、前記直交変換信号の量子化変換係数を求める量子化部と、
前記画素ブロックの、
（１）前記量子化マトリクスに対応するインデックス情報、
（２）前記予測信号の予測方式を示す予測モード情報、及び、
（３）前記量子化変換係数を示す情報
を符号化する符号化部と、
を備える動画像符号化装置。
【請求項４】
前記符号化部は、前記量子化マトリクスが画素ブロック単位で設定される第１モードか、スライス内の各画素ブロックにフラットなマトリクスが用いられる第２モードか、を示す量子化モード情報をスライス単位で符号化し、
前記符号化部は、前記画素ブロックが前記第１モードのスライス内の画素ブロックである場合に、前記インデックス情報を符号化する、
ことを特徴とする請求項３の動画像符号化装置。
【請求項５】
復号対象画像の前記画素ブロックの、
（１）量子化マトリクスに対応するインデックス情報、
（２）予測信号の予測方式を示す予測モード情報、及び、
（３）量子化変換係数を示す情報
を復号する復号ステップと、
前記インデックス情報が示す前記量子化マトリクスに従った逆量子化により、前記量子化変換係数から直交変換信号を求める逆量子化ステップと、
前記直交変換信号を逆直交変換して予測誤差信号を求める逆直交変換ステップと、
前記予測モード情報が示す前記予測方式を用いて前記画素ブロックの前記予測信号を求める予測信号生成ステップと、
前記予測誤差信号と前記予測信号に基づいて、前記画素ブロックの復号画像信号を求める復号画像生成ステップと、
を備える動画像復号化方法。
【請求項６】
前記復号ステップは、前記量子化マトリクスが画素ブロック単位で設定される第１モードか、スライス内の各画素ブロックにフラットなマトリクスが用いられる第２モードか、を示す量子化モード情報をスライス単位で復号し、
前記復号ステップは、前記画素ブロックが前記第１モードのスライス内の画素ブロックである場合に、前記インデックス情報を復号し、
前記逆量子化ステップは、前記量子化モード情報が第２モードを示す場合に、フラットなマトリクスに従った逆量子化を行う、
ことを特徴とする請求項５の動画像復号化方法。
【請求項７】
復号対象画像の前記画素ブロックの、
（１）量子化マトリクスに対応するインデックス情報、
（２）予測信号の予測方式を示す予測モード情報、及び、
（３）量子化変換係数を示す情報
を復号する復号部と、
前記インデックス情報が示す前記量子化マトリクスに従った逆量子化により、前記量子化変換係数から直交変換信号を求める逆量子化部と、
前記直交変換信号を逆直交変換して予測誤差信号を求める逆直交変換部と、
前記予測モード情報が示す前記予測方式を用いて前記画素ブロックの前記予測信号を求める予測信号生成部と、
前記予測誤差信号と前記予測信号に基づいて、前記画素ブロックの復号画像信号を求める復号画像生成部と、
を備える動画像復号化装置。
【請求項８】
前記復号部は、前記量子化マトリクスが画素ブロック単位で設定される第１モードか、スライス内の各画素ブロックにフラットなマトリクスが用いられる第２モードか、を示す量子化モード情報をスライス単位で復号し、
前記復号部は、前記画素ブロックが前記第１モードのスライス内の画素ブロックである場合に、前記インデックス情報を復号し、
前記逆量子化部は、前記量子化モード情報が第２モードを示す場合に、フラットなマトリクスに従った逆量子化を行う、
ことを特徴とする請求項７の動画像復号化装置。
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
筒状の外枠と、
前記外枠の一方の開口を塞ぐ裏蓋と、
前記裏蓋の内側に配置され、外部電源が備える１次コイルの電磁誘導によって発電する２次コイルと、
弾性部材と、
前記２次コイルで発電される電力を蓄え、前記外枠の中心軸方向の厚さ寸法が増減する蓄電源とを備え、
前記２次コイルと、前記弾性部材と、前記蓄電源とは、前記外枠の中心軸方向に、前記裏蓋の内側から順に積層されており、
前記弾性部材は、前記蓄電源の厚さ寸法が増加した場合に、当該厚さ寸法の増加に応じて弾性変形可能に取り付けられるとともに、前記２次コイルを前記裏蓋に当接するよう付勢し、
前記裏蓋において少なくとも前記２次コイルと対向する領域部は、非導電性材料で形成されていることを特徴とする非接触充電式電子機器。
【請求項２】
請求項１に記載の非接触充電式電子機器において、
前記２次コイルの前記蓄電源側には、磁性体で形成される磁性部材が配置され、
前記弾性部材は、前記磁性部材と前記蓄電源との間に配置されている
ことを特徴とする非接触充電式電子機器。
【請求項３】
請求項１または請求項２に記載の非接触充電式電子機器において、
前記裏蓋の内側には、前記２次コイルと、前記蓄電源の過充電を防止するための充電保護回路とが実装された充電用回路基板が配置され、
前記弾性部材は、前記充電用回路基板と前記蓄電源との間に配置され、前記充電用回路基板を前記裏蓋側に付勢していることを特徴とする非接触充電式電子機器。
【請求項４】
請求項３に記載の非接触充電式電子機器において、
前記充電用回路基板には、前記２次コイルの収納用の孔が形成されている
ことを特徴とする非接触充電式電子機器。
【請求項５】
請求項１から請求項４のいずれかに記載の非接触充電式電子機器において、
前記外枠の中心軸と直交する方向における前記２次コイルの位置ずれを規制する規制部を備えていることを特徴とする非接触充電式電子機器。
【請求項６】
請求項５に記載の非接触充電式電子機器において、
前記規制部は、前記裏蓋に形成され、前記２次コイルの空芯部と係合する突起部であることを特徴とする非接触充電式電子機器。
【請求項７】
請求項１から請求項６のいずれかに記載の非接触充電式電子機器において、
前記２次コイルは、基体の表面に導体の箔部が形成されたコイル形成基板から前記箔部をエッチングによって成形された渦巻き線状の平面コイルであり、
前記弾性部材は、前記コイル形成基板と前記蓄電源との間に配置されている
ことを特徴とする非接触充電式電子機器。
【請求項８】
請求項７に記載の非接触充電式電子機器において、
前記外枠の中心軸と直交する方向における前記コイル形成基板の位置ずれを規制する規制部を備え、
前記規制部は、前記外枠または前記裏蓋に形成されるとともに、前記コイル形成基板に形成された穴に係合される突状部または前記コイル形成基板の側部と当接する延設部であることを特徴とする非接触充電式電子機器。
【請求項９】
請求項１から請求項８のいずれかに記載の非接触充電式電子機器において、
前記裏蓋は、外枠の内部に向かって窪んで湾曲され、
前記蓄電源は、外枠の中心軸方向に直交する方向に、弾性変形可能に形成され、
前記２次コイルおよび前記蓄電源は、前記裏蓋の形状に沿って変形可能に形成されていることを特徴とする非接触充電式電子機器。
【手続補正書】
【提出日】平成21年11月20日(2009.11.20)
【手続補正１】
【補正対象書類名】明細書
【補正対象項目名】０００２
【補正方法】変更
【補正の内容】
【０００２】
従来から、まつげにカールを与えるアイラッシュカーラー（ビューラーともいう）としては、例えば図８に示すような構成のものがよく知られている。このものは、左右一対の支柱１、２と、この左右の支柱１、２の上部にまたがって固定されるガイドフレーム３と、上記ガイドフレーム３の固定部より下側に、支柱１、２に沿って昇降自在に取り付けられる可動フレーム４とを備えている。また、上記支柱１、２の下部を延長し、指で操作できるよう輪が形成された第１のハンドル５と、同じく指で操作できるよう輪が形成され、上記第１のハンドル５に交差して取り付けられる第２のハンドル６と、上記第２のハンドル６と可動フレーム４を連結するＶ字状のレバー７が設けられている。そして、上記可動フレーム４の、まつげを挟む部分には、弾性ゴム部材８が取り付けられている。
【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
被験者の皮膚のうち、所定の成分を含む組織液が抽出される皮膚透過促進処理が施された抽出部位に対応する位置に配置される第１作用電極と、
被験者の皮膚のうち、前記抽出部位以外の部位に対応する位置に配置される第２作用電極と、
前記第１作用電極および前記第２作用電極を介して前記被験者の皮膚に交流電流を印加する電源部と、
前記電源部からの交流電流が前記皮膚に印加されることにより得られる電気的情報を取得する電気的情報取得部と、
前記電気的情報に基づいて前記被験者の皮膚のコンダクタンスを算出する算出部とを備える、皮膚コンダクタンス測定装置。
【請求項２】
前記組織液を保持するための組織液保持部をさらに備え、
前記電源部は、前記第１作用電極および前記第２作用電極を介して前記抽出部位に直流電流を印加することが可能に構成されている、請求項１に記載の皮膚コンダクタンス測定装置。
【請求項３】
前記電源部は、交流電流と直流電流とを重畳させた電流を印加することが可能に構成されている、請求項２に記載の皮膚コンダクタンス測定装置。
【請求項４】
前記組織液保持部は、組織液を保持するための保持物質を含む、請求項２または３に記載の皮膚コンダクタンス測定装置。
【請求項５】
前記皮膚透過促進処理が施された抽出部位は、微細孔が形成された抽出部位を含む、請求項１〜４のいずれか１項に記載の皮膚コンダクタンス測定装置。
【請求項６】
前記交流電流の周波数は、１００Ｈｚ以上６０００Ｈｚ以下である、請求項１〜５のいずれか１項に記載の皮膚コンダクタンス測定装置。
【請求項７】
前記皮膚のコンダクタンスは、前記抽出部位のコンダクタンスを含む、請求項１〜６のいずれか１項に記載の皮膚コンダクタンス測定装置。
【請求項８】
前記電気的情報は、前記抽出部位のインピーダンスを含む、請求項１〜７のいずれか１項に記載の皮膚コンダクタンス測定装置。
【請求項９】
前記所定の成分は、グルコースを含む、請求項１〜８のいずれか１項に記載の皮膚コンダクタンス測定装置。
【請求項１０】
前記第２作用電極と前記抽出部位との間に印加される電圧を測定するための参照電極をさらに備える、請求項１〜９のいずれか１項に記載の皮膚コンダクタンス測定装置。
【請求項１１】
被験者の皮膚のうち、所定の成分を含む組織液が抽出される皮膚透過促進処理が施された抽出部位に対応する位置に配置される第１作用電極と、
被験者の皮膚のうち、前記抽出部位以外の部位に対応する位置に配置される第２作用電極と、
前記第１作用電極および前記第２作用電極を介して前記被験者の皮膚に交流電流を印加する電源部と、
前記電源部からの交流電流が、前記皮膚に交流電流を印加することにより得られる電気的情報を取得する電気的情報取得部と、
前記電気的情報に基づいて前記被験者の皮膚のコンダクタンスを算出する算出部と、
被験者の皮膚のうち、前記抽出部位を介して抽出された所定の成分を含む組織液が保持された組織液保持部から、前記組織液の所定の成分の量に関する値を取得する成分量取得部と、
前記所定の成分の量に関する値、および、前記算出部により算出された前記抽出部位のコンダクタンスに基づいて、前記組織液における前記所定の成分の濃度を算出する成分濃度取得部とを備える、成分濃度分析装置。
【請求項１２】
被験者の皮膚のうち、所定の成分を含む組織液が抽出される皮膚透過促進処理が施された抽出部位および前記抽出部位以外の部位に交流電流を印加することにより得られる電気的情報に基づいて、前記皮膚のコンダクタンスを算出するステップとを備える、皮膚コンダクタンス測定方法。
【請求項１３】
前記皮膚透過促進処理が施された抽出部位は、前記被験者の皮膚に微細孔が形成された抽出部位を含む、請求項１２に記載の皮膚コンダクタンス測定方法。
【請求項１４】
被験者の皮膚のうち、所定の成分を含む組織液が抽出される皮膚透過促進処理が施された抽出部位を介して所定の成分を含む組織液を抽出するステップと、
前記組織液の所定の成分の量に関する値を取得するステップと、
被験者の皮膚のうち、前記抽出部位および前記抽出部位以外の部位に交流電流を印加することにより得られる電気的情報に基づいて、前記皮膚のコンダクタンスを算出するステップと、
前記所定の成分に関する量、および、前記皮膚のコンダクタンスに基づいて、前記被験者の組織液に含まれる所定の成分の濃度を算出するステップとを備える、成分濃度分析方法。
【請求項１５】
前記組織液を抽出するステップおよび前記コンダクタンスを算出するステップは、交流電流と直流電流を重畳した電流を前記被験者の皮膚に印加することにより、直流電流により前記被験者の皮膚の抽出部位を介して所定の成分を含む組織液を抽出しながら、交流電流により得られる電気的情報に基づいて、前記皮膚のコンダクタンスを算出するステップを含む、請求項１４に記載の成分濃度分析方法。
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置による遊技球の打ち込みを指示するための操作手段と、
前記遊技領域に設けられ、遊技球が入球可能な始動口と、
装飾図柄の変動表示を含む演出表示を行うための演出画像表示装置と、
前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
少なくとも前方から役物を視認可能な現出領域、及び、少なくとも前方から役物を視認困難な掩蔽領域を有する役物演出空間と、
前記役物演出空間内で自在に移動可能な飛行部材と、
前記役物演出空間において、前記飛行部材を移動させることが可能な演出部材移動手段と、
前記始動口への遊技球の入球があったか否かの判断を行う始動判断手段、
前記始動判断手段により遊技球の入球が判断されることに基づき、内部的な抽選を行う抽選手段、
前記抽選手段による抽選に当選すると、前記特別入賞口の開閉動作を行う特別遊技を実行する特別遊技実行手段、
を少なくとも有する主制御手段と、
前記主制御手段に電気的に接続され、
前記抽選手段による抽選結果に応じ前記変動情報記憶手段から読み出される変動パターンに基づく演出表示を前記演出画像表示装置に行う演出画像表示制御手段、並びに
前記演出部材移動手段を介し前記遊技盤に沿って二次元的に前記飛行部材を遠隔コントロールし、前記掩蔽領域から前記現出領域への前記飛行部材の遠隔コントロールによる現出演出を実行可能な演出部材制御手段、
を少なくとも有する副制御手段と、
を備えることを特徴とする遊技機。
【請求項２】
前記演出部材制御手段は、前記現出領域から前記掩蔽領域への前記飛行部材の遠隔コントロールによる掩蔽演出を実行可能である
請求項１に記載の遊技機。
【請求項３】
前記演出部材制御手段は、前記掩蔽領域内において前記飛行部材を自在に遠隔コントロール可能である
請求項２に記載の遊技機。
【手続補正２】
【補正対象書類名】明細書
【補正対象項目名】０００７
【補正方法】変更
【補正の内容】
【０００７】
本発明の遊技機は、遊技領域を有し、当該遊技領域に向けて遊技球が打ち込まれる遊技盤と、前記遊技領域に向けて遊技球を打ち込むための発射装置と、前記発射装置による遊技球の打ち込みを指示するための操作手段と、前記遊技領域に設けられ、遊技球が入球可能な始動口と、装飾図柄の変動表示を含む演出表示を行うための演出画像表示装置と、前記変動表示のパターンである複数の変動パターンを記憶する変動情報記憶手段と、前記遊技盤の遊技領域に設けられ、遊技球を受け入れ困難な閉状態と当該閉状態よりも遊技球を受け入れ容易な開状態とに変化可能な特別入賞口と、少なくとも前方から役物を視認可能な現出領域、及び、少なくとも前方から役物を視認困難な掩蔽領域を有する役物演出空間と、前記役物演出空間内で自在に移動可能な飛行部材と、前記役物演出空間において、前記飛行部材を移動させることが可能な演出部材移動手段と、前記始動口への遊技球の入球があったか否かの判断を行う始動判断手段、前記始動判断手段により遊技球の入球が判断されることに基づき、内部的な抽選を行う抽選手段、前記抽選手段による抽選に当選すると、前記特別入賞口の開閉動作を行う特別遊技を実行する特別遊技実行手段、を少なくとも有する主制御手段と、前記主制御手段に電気的に接続され、前記抽選手段による抽選結果に応じ前記変動情報記憶手段から読み出される変動パターンに基づく演出表示を前記演出画像表示装置に行う演出画像表示制御手段、並びに前記演出部材移動手段を介し前記遊技盤に沿って二次元的に前記飛行部材を遠隔コントロールし、前記掩蔽領域から前記現出領域への前記飛行部材の遠隔コントロールによる現出演出を実行可能な演出部材制御手段、を少なくとも有する副制御手段と、を備えることを特徴とする。
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置による遊技球の打ち込みを指示するための操作手段と、
前記遊技領域に設けられ、遊技球が入球可能な始動口と、
装飾図柄の変動表示を含む演出表示を行うための演出画像表示装置と、
前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
少なくとも前方から役物を視認可能な役物演出空間と、
前記役物演出空間内で自在に移動可能な飛行部材と、
前記役物演出空間において、前記飛行部材を移動させることが可能な演出部材移動手段と、
前記始動口への遊技球の入球に基づいて抽選を行う抽選手段、
前記変動情報記憶手段から読み出される変動パターンに基づき、前記演出画像表示装置に前記装飾図柄の変動表示を行い、前記抽選手段による抽選結果に応じた前記装飾図柄の停止表示を行う演出画像表示制御手段、
前記抽選手段による抽選に当選したことに応じ、前記特別入賞口の開閉動作を行い、遊技者に遊技価値を付与可能な大当たり遊技を実行する大当たり遊技実行手段、
前記演出画像表示制御手段による演出態様が異なる複数の遊技モードを記憶する遊技モード記憶手段、
前記遊技モード記憶手段に記憶された遊技モードの中から移行先の遊技モードを決定可能な遊技モード決定手段、
前記遊技モード決定手段にて移行先の遊技モードが決定された場合、当該遊技モードへ移行制御可能なモード移行制御手段、および
所定条件の成立時、前記演出部材移動手段を介し前記遊技盤に沿って二次元的に前記飛行部材を遠隔コントロールすることで、前記遊技モードの移行契機となる役物演出を実行する役物演出実行手段、
を少なくとも有する遊技制御手段と
を備えることを特徴とする遊技機。
【請求項２】
前記役物演出実行手段は、前記遊技モード決定手段による決定の結果を、役物演出によって告知する
請求項１に記載の遊技機。
【請求項３】
前記役物演出空間は、当該役物演出空間を通して前記演出画像表示装置における演出表示が視認可能となるよう当該演出画像表示装置の前方に設けられている
請求項１または請求項２に記載の遊技機。
【手続補正２】
【補正対象書類名】明細書
【補正対象項目名】０００７
【補正方法】変更
【補正の内容】
【０００７】
本発明の遊技機は、遊技領域を有し、当該遊技領域に向けて遊技球が打ち込まれる遊技盤と、前記遊技領域に向けて遊技球を打ち込むための発射装置と、前記発射装置による遊技球の打ち込みを指示するための操作手段と、前記遊技領域に設けられ、遊技球が入球可能な始動口と、装飾図柄の変動表示を含む演出表示を行うための演出画像表示装置と、前記変動表示のパターンである複数の変動パターンを記憶する変動情報記憶手段と、前記遊技盤の遊技領域に設けられ、遊技球を受け入れ困難な閉状態と当該閉状態よりも遊技球を受け入れ容易な開状態とに変化可能な特別入賞口と、少なくとも前方から役物を視認可能な役物演出空間と、前記役物演出空間内で自在に移動可能な飛行部材と、前記役物演出空間において、前記飛行部材を移動させることが可能な演出部材移動手段と、前記始動口への遊技球の入球に基づいて抽選を行う抽選手段、前記変動情報記憶手段から読み出される変動パターンに基づき、前記演出画像表示装置に前記装飾図柄の変動表示を行い、前記抽選手段による抽選結果に応じた前記装飾図柄の停止表示を行う演出画像表示制御手段、前記抽選手段による抽選に当選したことに応じ、前記特別入賞口の開閉動作を行い、遊技者に遊技価値を付与可能な大当たり遊技を実行する大当たり遊技実行手段、前記演出画像表示制御手段による演出態様が異なる複数の遊技モードを記憶する遊技モード記憶手段、前記遊技モード記憶手段に記憶された遊技モードの中から移行先の遊技モードを決定可能な遊技モード決定手段、前記遊技モード決定手段にて移行先の遊技モードが決定された場合、当該遊技モードへ移行制御可能なモード移行制御手段、および所定条件の成立時、前記演出部材移動手段を介し前記遊技盤に沿って二次元的に前記飛行部材を遠隔コントロールすることで、前記遊技モードの移行契機となる役物演出を実行する役物演出実行手段、を少なくとも有する遊技制御手段とを備えることを特徴とする。
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置による遊技球の打ち込みを指示するための操作手段と、
前記遊技領域に設けられ、遊技球が入球可能な始動口と、
装飾図柄の変動表示を含む演出表示を行うための演出画像表示装置と、
前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
前記演出表示装置の前方に設けられ、前記演出表示装置における前記演出表示を前方から視認可能な役物演出空間と、
前記役物演出空間内で自在に移動可能な飛行部材と、
前記役物演出空間において、前記飛行部材を移動させることが可能な演出部材移動手段と、
前記始動口への遊技球の入球があったか否かの判断を行う始動判断手段、
前記始動判断手段により遊技球の入球が判断されることに基づき、内部的な抽選を行う抽選手段、および
前記抽選手段による抽選に当選すると、前記特別入賞口の開閉動作を行う特別遊技を実行する特別遊技実行手段、
を少なくとも有する主制御手段と、
前記主制御手段に電気的に接続され、
前記抽選手段による抽選結果に応じ、前記変動情報記憶手段から読み出される変動パターンに基づく演出表示を、前記演出画像表示装置を介して行う演出画像表示制御手段、および
前記演出部材移動手段を介し、前記遊技盤に沿って二次元的に前記飛行部材を遠隔コントロールする演出部材制御手段、
を少なくとも有する副制御手段と
を備え、
前記演出部材制御手段は、所定条件の成立時に、前記飛行部材を遠隔コントロールして前記飛行部材を飛行状態とし、
前記演出画像表示制御手段は、前記飛行部材が飛行状態とされた後、前記飛行部材が前記役物演出空間内の特定領域に来たことを条件として、特定の演出表示を実行する
ことを特徴とする遊技機。
【請求項２】
前記演出部材制御手段は、前記演出画像表示制御手段による前記特定の演出表示に対応させて、前記飛行部材を遠隔コントロールする
請求項１に記載の遊技機。
【請求項３】
前記演出画像表示制御手段は、
前記演出表示を異なる態様の演出表示に切替可能な演出切替手段を有しており、
前記演出切替手段による演出表示の切り替えに先立って、前記演出部材制御手段は、前記飛行部材を遠隔コントロールして前記飛行部材を飛行状態とし、前記演出画像表示制御手段は、前記飛行部材が飛行状態とされた後、前記飛行部材が前記役物演出空間の特定領域に来たことを条件として、前記演出表示の切り替えの契機となる特定の演出表示を実行する
請求項１または請求項２に記載の遊技機。
【手続補正２】
【補正対象書類名】明細書
【補正対象項目名】０００７
【補正方法】変更
【補正の内容】
【０００７】
本発明の遊技機は、遊技領域を有し、当該遊技領域に向けて遊技球が打ち込まれる遊技盤と、前記遊技領域に向けて遊技球を打ち込むための発射装置と、前記発射装置による遊技球の打ち込みを指示するための操作手段と、前記遊技領域に設けられ、遊技球が入球可能な始動口と、装飾図柄の変動表示を含む演出表示を行うための演出画像表示装置と、前記変動表示のパターンである複数の変動パターンを記憶する変動情報記憶手段と、前記遊技盤の遊技領域に設けられ、遊技球を受け入れ困難な閉状態と当該閉状態よりも遊技球を受け入れ容易な開状態とに変化可能な特別入賞口と、前記演出表示装置の前方に設けられ、前記演出表示装置における前記演出表示を前方から視認可能な役物演出空間と、前記役物演出空間内で自在に移動可能な飛行部材と、前記役物演出空間において、前記飛行部材を移動させることが可能な演出部材移動手段と、前記始動口への遊技球の入球があったか否かの判断を行う始動判断手段、前記始動判断手段により遊技球の入球が判断されることに基づき、内部的な抽選を行う抽選手段、および前記抽選手段による抽選に当選すると、前記特別入賞口の開閉動作を行う特別遊技を実行する特別遊技実行手段、を少なくとも有する主制御手段と、前記主制御手段に電気的に接続され、前記抽選手段による抽選結果に応じ、前記変動情報記憶手段から読み出される変動パターンに基づく演出表示を、前記演出画像表示装置を介して行う演出画像表示制御手段、および前記演出部材移動手段を介し、前記遊技盤に沿って二次元的に前記飛行部材を遠隔コントロールする演出部材制御手段、を少なくとも有する副制御手段とを備え、前記演出部材制御手段は、所定条件の成立時に、前記飛行部材を遠隔コントロールして前記飛行部材を飛行状態とし、前記演出画像表示制御手段は、前記飛行部材が飛行状態とされた後、前記飛行部材が前記役物演出空間内の特定領域に来たことを条件として、特定の演出表示を実行することを特徴とする。
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置による遊技球の打ち込みを指示するための操作手段と、
前記遊技領域に設けられ、遊技球が入球可能な始動口と、
装飾図柄の変動表示を含む演出表示を行うための演出画像表示装置と、
前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
少なくとも前方から役物を視認可能な役物演出空間と、
前記役物演出空間内で自在に移動可能な飛行部材と、
前記役物演出空間において、前記飛行部材を移動させることが可能な演出部材移動手段と、
前記始動口への遊技球の入球に基づいて抽選を行う抽選手段、
前記抽選手段による抽選結果に応じ、前記変動情報記憶手段から読み出される変動パターンに基づき、前記演出表示を行う演出画像表示制御手段、
前記抽選手段による抽選に当選したことに応じ、前記特別入賞口の開閉動作を行い、遊技者に遊技価値を付与可能な大当たり遊技を実行する大当たり遊技実行手段、
所定条件の成立時に、前記演出部材移動手段を介し前記遊技盤に沿って二次元的に前記飛行部材を遠隔コントロールすることで、前記飛行部材を用いた役物演出を実行する役物演出実行手段、
前記役物演出実行手段による前記役物演出において、前記飛行部材が想定外の動きをしたか否かを判定する判定手段、および
前記判定手段にて前記飛行部材が想定外の動きをしたと判定された場合、当初予定されていた演出とは別の演出を実行する演出切替手段、
を少なくとも有する遊技制御手段と
を備えることを特徴とする遊技機。
【請求項２】
前記飛行部材の位置を取得可能な位置取得手段を備え、
前記判定手段は、前記位置取得手段にて取得される前記飛行部材の位置に基づき、前記飛行部材が想定外の動きをしたか否かを判定する
請求項１に記載の遊技機。
【請求項３】
前記飛行部材の遠隔コントロールの継続が不可能な状態を積極的に作り出すことが可能な不可能状態作出手段を備えている
請求項１または請求項２に記載の遊技機。
【手続補正２】
【補正対象書類名】明細書
【補正対象項目名】０００７
【補正方法】変更
【補正の内容】
【０００７】
本発明の遊技機は、遊技領域を有し、当該遊技領域に向けて遊技球が打ち込まれる遊技盤と、前記遊技領域に向けて遊技球を打ち込むための発射装置と、前記発射装置による遊技球の打ち込みを指示するための操作手段と、前記遊技領域に設けられ、遊技球が入球可能な始動口と、装飾図柄の変動表示を含む演出表示を行うための演出画像表示装置と、前記変動表示のパターンである複数の変動パターンを記憶する変動情報記憶手段と、前記遊技盤の遊技領域に設けられ、遊技球を受け入れ困難な閉状態と当該閉状態よりも遊技球を受け入れ容易な開状態とに変化可能な特別入賞口と、少なくとも前方から役物を視認可能な役物演出空間と、前記役物演出空間内で自在に移動可能な飛行部材と、前記役物演出空間において、前記飛行部材を移動させることが可能な演出部材移動手段と、前記始動口への遊技球の入球に基づいて抽選を行う抽選手段、前記抽選手段による抽選結果に応じ、前記変動情報記憶手段から読み出される変動パターンに基づき、前記演出表示を行う演出画像表示制御手段、前記抽選手段による抽選に当選したことに応じ、前記特別入賞口の開閉動作を行い、遊技者に遊技価値を付与可能な大当たり遊技を実行する大当たり遊技実行手段、所定条件の成立時に、前記演出部材移動手段を介し前記遊技盤に沿って二次元的に前記飛行部材を遠隔コントロールすることで、前記飛行部材を用いた役物演出を実行する役物演出実行手段、前記役物演出実行手段による前記役物演出において、前記飛行部材が想定外の動きをしたか否かを判定する判定手段、および前記判定手段にて前記飛行部材が想定外の動きをしたと判定された場合、当初予定されていた演出とは別の演出を実行する演出切替手段、を少なくとも有する遊技制御手段とを備えることを特徴とする。